(57)【要約】【課題】コンクリート躯体の表面になされた落書きを容易且つ確実に除去することができ、作業性を向上させることができる落書き除去具を提供する。【解決手段】コンクリート躯体の表面の落書きを除去するための落書き除去具１において、弾力を有した布テープ４をその粘着面を外側に向かせつつ芯材５に巻着させて成る除去部２と、該除去部２を回転自在としつつ当該除去部２から延設され、先端近傍にて作業者が把持し得る把持部３とを具備し、除去部２の布テープ４を落書き箇所に押圧させつつ回転させることにより当該落書きを除去し得るものである。【選択図】図１
2008138468.tif 000002
【特許請求の範囲】
【請求項１】
コンクリート躯体の表面の落書きを除去するための落書き除去具において、
弾力を有した長尺状テープをその粘着面を外側に向かせつつ芯材に巻着させて成る除去部と、
該除去部を回転自在としつつ当該除去部から延設され、先端近傍にて作業者が把持し得る把持部と、
を具備し、前記除去部の長尺状テープを落書き箇所に押圧させつつ回転させることにより当該落書きを除去し得ることを特徴とする落書き除去具。
【請求項２】
前記長尺状テープは、長尺状布製基材の一方の面に粘着面が形成されたことを特徴とする請求項１記載の落書き除去具。
【請求項３】
前記長尺状テープは、一周毎に切り取り容易な切り取り線が形成されたことを特徴とする請求項１又は請求項２記載の落書き除去具。
【請求項４】
前記コンクリート躯体の表面には、落書きの除去を容易とし得る落書き防止塗料が塗布されていることを特徴とする請求項１〜請求項３の何れか１つに記載の落書き除去具。
【発明の詳細な説明】
【技術分野】
【０００１】
本発明は、コンクリート躯体の表面の落書きを除去するための落書き除去具に関するものである。
【背景技術】
【０００２】
近時において、橋脚や塀などのコンクリート躯体の表面に対し油性塗料などで落書きされてしまう事例が社会問題化しており、落書きを容易且つ早急に除去し得る要求が高まっている。例えば、特許文献１には、処理対象のコンクリート躯体の表面にプライマー、中塗りクリア塗料を塗装した後、落書き及び貼り紙を除去し易い機能を有する上塗りクリア塗料を塗布することにより、所定長さに切り取った梱包用布粘着テープを落書きがなされた表面に貼り付け、手で強く擦りつけた後、梱包用布粘着テープを勢いよく剥がし取ることにより、落書きを除去することができることが開示されている。
【特許文献１】特開２００５−２６２１３４号公報
【発明の開示】
【発明が解決しようとする課題】
【０００３】
しかしながら、上述の如く落書きを除去するには、所定長さに切り取った梱包用布粘着テープを落書きがなされた表面に貼り付け、手で強く擦りつけた後、当該梱包用布粘着テープを勢いよく剥がす必要があったので、落書き除去作業時の作業性が悪いという問題があった。即ち、梱包用布粘着テープを所定長さに切り取る工程、その切り取った梱包用布粘着テープを落書き上に貼り付ける工程、当該梱包用布粘着テープの上面から手で強く擦りつける工程、梱包用布粘着テープを剥がす工程といった多数の工程が必要となり、例えば落書きが広範囲に亘ってなされている場合には、落書き除去作業が極めて煩雑となってしまうのである。
【０００４】
本発明は、このような事情に鑑みてなされたもので、コンクリート躯体の表面になされた落書きを容易且つ確実に除去することができ、作業性を向上させることができる落書き除去具を提供することにある。
【課題を解決するための手段】
【０００５】
請求項１記載の発明は、コンクリート躯体の表面の落書きを除去するための落書き除去具において、弾力を有した長尺状テープをその粘着面を外側に向かせつつ芯材に巻着させて成る除去部と、該除去部を回転自在としつつ当該除去部から延設され、先端近傍にて作業者が把持し得る把持部とを具備し、前記除去部の長尺状テープを落書き箇所に押圧させつつ回転させることにより当該落書きを除去し得ることを特徴とする。
【０００６】
請求項２記載の発明は、請求項１記載の落書き除去具において、前記長尺状テープは、長尺状布製基材の一方の面に粘着面が形成されたことを特徴とする。
【０００７】
請求項３記載の発明は、請求項１又は請求項２記載の落書き除去具において、前記長尺状テープは、一周毎に切り取り容易な切り取り線が形成されたことを特徴とする。
【０００８】
請求項４記載の発明は、請求項１〜請求項３の何れか１つに記載の落書き除去具において、前記コンクリート躯体の表面には、落書きの除去を容易とし得る落書き防止塗料が塗布されていることを特徴とする。
【発明の効果】
【０００９】
請求項１の発明によれば、作業者が把持部を把持し、除去部の長尺状テープを落書き箇所に押圧させつつ回転させることにより当該落書きを除去し得るので、コンクリート躯体の表面になされた落書きを容易且つ確実に除去することができ、作業性を向上させることができる。また、長尺状テープが弾力を有するので、落書きがなされた表面に微小な凹凸があっても、より確実に落書きを除去することができる。
【００１０】
請求項２の発明によれば、長尺状テープは、長尺状布製基材の一方の面に粘着面が形成されているので、最表層の長尺状テープの裏面がその下層の長尺状テープの粘着面によって強固に粘着され、落書き箇所に押圧させつつ回転させた際、最表層の長尺状テープが不用意にコンクリート躯体側に貼り付いてしまうのを回避でき、作業性をより向上させることができる。
【００１１】
請求項３の発明によれば、長尺状テープは、一周毎に切り取り容易な切り取り線が形成されているので、落書きを除去した後の最表層の長尺状テープのみを良好に切り取って次の落書き除去を容易に行わせることができ、作業性をより向上させることができる。
【００１２】
請求項４の発明によれば、コンクリート躯体の表面には、落書きの除去を容易とし得る落書き防止塗料が塗布されているので、当該落書き防止塗料上になされた落書き箇所に除去部の長尺状テープを押圧させつつ回転させれば、より確実且つ容易に落書きを除去することができる。
【発明を実施するための最良の形態】
【００１３】
以下、本発明の実施形態について図面を参照しながら具体的に説明する。
本実施形態に係る落書き除去具は、コンクリート躯体の表面になされた落書きを良好に除去するためのものであり、図１に示すように、落書きがなされたコンクリート躯体の表面に押圧させて落書きを除去するための除去部２と、金具等から成り、作業者が把持するグリップ３ａが形成された把持部３とから主に構成されている。
【００１４】
除去部２は、図２に示すように、芯材５に長尺状の布テープ４（長尺状テープ）を巻着して成るものであり、布テープ４は外側に粘着面（図３に示すゴム系粘着剤４ｂ）が向くように巻かれている。具体的には、布テープ４は、厚さが約０．３４ｍｍ程度とされたもので、図３に示すように、ポリエチレン（ＰＥ）などから成るラミネート布基材４ａの一方の面（芯材５に巻かれた状態で外側を向く面）にゴム系粘着剤４ｂが形成されたものから成る。
【００１５】
そして、図４に示すように、芯材５に対して所定寸法だけゴム系粘着剤４ｂにて布テープ４を粘着させた後、折り返し、当該ゴム系粘着剤４ｂが外側を向いた状態で所定の巻数だけ巻くことにより除去部２が得られる。かかる除去部２は、上述の如くポリエチレン（ＰＥ）などから成るラミネート布基材４ａの一方の面（芯材５に巻かれた状態で外側を向く面）にゴム系粘着剤４ｂが形成されているので、弾力を有している。
【００１６】
把持部３は、除去部２の軸方向に延設しつつ屈曲して延設され、その先端に樹脂などから成るグリップ３ａが形成されたもので、除去部２に対して相対的に回転可能とされている。これにより、作業者がグリップ３ａを把持し、布テープ４を落書きがなされたコンクリート躯体の表面に押圧しつつ回転させれば、ゴム系粘着剤４ｂに落書きが粘着して剥ぎ取られることとなる。これにより、落書きを容易かつスムーズに除去することができる。
【００１７】
ここで、布テープ４（長尺状テープ）に対し、一周毎に切り取り容易な切り取り線を予め形成しておくのが好ましい。即ち、切り取り線に沿って切り取ることにより、落書きを剥ぎ取った後の最表層の布テープ４を落書き除去具１から取り除くことができるのである。これにより、落書きを除去した後の最表層の布テープ４のみを良好に切り取って次の落書き除去を容易に行わせることができ、作業性をより向上させることができる。
【００１８】
ここで、コンクリート躯体の表面には、落書きの除去を容易とし得る落書き防止塗料が塗布されているのが好ましい。この落書き防止塗料を塗布するためのコンクリート躯体の表面処理方法について、図５のフローチャートに基づき以下に説明する。尚、同コンクリート躯体の表面処理方法は、橋脚や塀などのコンクリート躯体の表面を処理して、落書きの除去を容易とし得るための方法であり、比較的表面の粗度が悪い既設コンクリート躯体と、比較的表面の粗度が良好な新設コンクリート躯体との両者に適用できるものである。
【００１９】
まず、処理対象の表面に付着した汚れを高圧水洗浄機等で除去して洗浄し（Ｓ１）、既存塗材を除去した後（Ｓ２）、その表面の調査を目視にて行い（Ｓ３）、粗面である（例えば凹凸の底面から頂部までの寸法が約１〜２ｍｍ程度以上）と認められればＳ５へ進み、粗面でなくある程度の平滑が保たれていると認められればＳ６へ進む。
【００２０】
Ｓ５は、図６で示すように、処理対象のコンクリート躯体６の表面６ａに対して樹脂モルタル７を金鏝などで扱いて平滑化処理するための平滑化処理工程である。かかる樹脂モルタル２とは、普通ポルトランドセメントに軽量骨材、繊維、混和剤等を配合した既調合モルタルをアクリル樹脂エマルジョン、エチレン・酢酸ビニル樹脂エマルジョン、スチレン・ブタジエン樹脂エマルジョン等と混練して平滑化する下地処理材のことをいい、例えばニチエー吉田（株）製のＮＹ−調合樹脂モルタルが挙げられる。Ｓ６は、図７で示すように、平滑化処理工程Ｓ５にて平滑化された表面に所定の遮蔽材（防水材）を塗布して表面の平滑化及び防水を図り得る遮蔽層８を形成する遮蔽層形成工程である。かかる遮蔽層形成工程Ｓ６は、所定の許容範囲の表面粗さで遮蔽層８を表面仕上げするのが好ましく、これにより遮蔽層８の表面の平滑状態が維持される。
【００２１】
この遮蔽層形成工程Ｓ６は、例えば図５（ｂ）に示すように、既設のコンクリート構造物ではコンクリートの表面の風化が進んだり、各種塗料が施されている場合が多いことから、その表面を平滑化する必要があり、平滑化処理工程Ｓ５にて平滑化された表面に各種プライマーを塗布（Ｓ７）した後、その表面に各種塗料を塗布（Ｓ８）することにより、遮蔽層３を形成するようにする。或いは同図（ｃ）に示すように、新設のコンクリート構造物に対しては型枠を脱型した表面は平滑であるため平滑化処理工程は必要なく、下地であるコンクリートの意匠をそのまま表現するために透明又は半透明の塗料を塗布する。（ＮＹ−Ａ−シーラーを塗布（Ｓ９）した後、その表面にＮＹ−７０９０を塗布（Ｓ１０）し、更にその表面にＮＹ−８０９０クリア又はカラークリアを塗布（Ｓ１１）する。）
【００２２】
上記Ｓ７における各種プライマーとは、アクリル樹脂、エポキシ樹脂等下地との接着性を確保できるものであればよく、例えばニチエー吉田（株）製のＮＹ−Ｅプライマー（エポキシ樹脂）が挙げられる。Ｓ８における各種塗料とは、フッ素樹脂、アクリルシリコン樹脂、シリコン樹脂、ウレタン樹脂、アクリル樹脂等所定の表面粗さ（ＰＲｔが８０μｍ未満）及び硬度（Ｈ以上）が得られるものであればよく、例えばニチエー吉田（株）製のＮＹ−８０９０エナメル（フッ素樹脂）やＮＹ−９０９０エナメル（アクリルシリコン樹脂）が挙げられる。
【００２３】
尚、遮蔽層形成工程Ｓ６にて形成される遮蔽層３は、上記のものに限定されず、平滑化処理工程Ｓ５にて平滑化された表面を防水して遮蔽し所定の表面粗さ（ＰＲｔが８０μｍ未満）及び硬度（Ｈ以上）が得られるものであれば他の塗料から成るものであってもよい。上記ＰＲｔは、断面曲線の最大断面高さ（ＪＩＳ  Ｂ  ０６０１−１９９４）を表すための表面粗さの指標である。
【００２４】
ここで、Ｓ９におけるＮＹ−Ａシーラーとは、ニチエー吉田（株）製のアルコキシシラン系から成る浸透性吸水防止材をいい、Ｓ１０におけるＮＹ−７０９０とは、濡れ肌防止機能を持ったアクリル共重合樹脂をいう。ＮＹ−８０９０クリア又はカラークリアとは、フッ素樹脂の透明又は半透明の塗料である。尚、遮蔽層形成工程Ｓ６にて形成される遮蔽層３は、上記のものに限定されず、所定の表面粗さ（ＰＲｔが８０μｍ未満）及び硬度（Ｈ以上）が得られるものであれば他の塗料から成るものであってもよい。
【００２５】
遮蔽層形成工程Ｓ６（Ｓ７〜Ｓ８又はＳ９〜Ｓ１１）が施された後、図８で示すように、遮蔽層３の表面に落書きの除去を容易とし得る落書き防止塗料４を塗布する落書き防止塗料塗布工程Ｓ１２が施される。かかる落書き防止塗料４は、ニチエー吉田（株）製の２液硬化型シリコーン金属キレート化合物から成るＮＹ−３０００ＳＧ（溶剤系）であり、総合塗膜としての表面粗さとしてＰＲｔで６０μｍ以下、硬度で３〜５Ｈが得られることにより落書き除去性に優れた落書き防止層が形成される。
【００２６】
上記の如きコンクリート躯体の表面処理方法によれば、平滑化処理工程Ｓ５にて平滑化されたコンクリート躯体６の表面６ａを遮蔽層形成工程Ｓ６にて形成した遮蔽層８にて防水し、その表面に対して落書きの除去を容易とし得る落書き防止塗料９を塗布するので、表面処理後になされた落書きに対し、本実施形態に係る落書き除去具１における布テープ４を落書き箇所に押圧させつつ回転させることにより当該落書きを容易且つ早急に除去することができる。尚、落書き防止塗料４がニチエー吉田（株）製のＮＹ−３０００ＳＧ（溶剤系）を用いているので、繰り返し（約１０回程度）の落書き除去が可能である。
【００２７】
本実施形態によれば、コンクリート躯体６の表面６ａには、落書きの除去を容易とし得る落書き防止塗料９が塗布されているので、当該落書き防止塗料９上になされた落書き箇所に除去部２の布テープ４を押圧させつつ回転させれば、より確実且つ容易に落書きを除去することができる。また、落書き除去具１において、作業者が把持部３を把持し、除去部の布テープ４を落書き箇所に押圧させつつ回転させることにより当該落書きを除去し得るので、コンクリート躯体の表面になされた落書きを容易且つ確実に除去することができ、作業性を向上させることができる。
【００２８】
更に、布テープ４が弾力を有するので、落書きがなされた表面に微小な凹凸があっても、その凹部に布テープ４の粘着面を入り込ませることができ、より確実に落書きを除去することができる。また更に、布テープ４は、長尺状布製基材４ａの一方の面に粘着面（ゴム系粘着剤４ｂ）が形成されているので、最表層の布テープ４の裏面がその下層の布テープ４の粘着面によって強固に粘着され、落書き箇所に押圧させつつ回転させた際、最表層の布テープ４が不用意にコンクリート躯体側に貼り付いてしまうのを回避でき、作業性をより向上させることができる。
【００２９】
以上、本実施形態について説明したが、本発明はこれに限定されるものではなく、例えば布テープ４に代えて、弾力を有した他の長尺状テープをその粘着面を外側に向かせつつ芯材に巻着させることにより除去部を形成するようにしてもよい。また、遮蔽層７の材料及び落書き防止塗料については、防水機能及び落書きを容易に除去する機能を有していれば、他の材料を用いてもよい。更に、新設のコンクリート躯体表面に適用する場合、そのコンクリート躯体表面処理方法として、既存の塗材を除去する工程〜平滑化処理工程（図５におけるＳ１〜Ｓ５の工程）を省略することができる。
【産業上の利用可能性】
【００３０】
弾力を有した長尺状テープをその粘着面を外側に向かせつつ芯材に巻着させて成る除去部と、該除去部を回転自在としつつ当該除去部から延設され、先端近傍にて作業者が把持し得る把持部とを具備し、除去部の長尺状テープを落書き箇所に押圧させつつ回転させることにより当該落書きを除去し得る落書き除去具であれば、外観形状が異なるもの或いは他の機能が付加されたもの等にも適用することができる。
【図面の簡単な説明】
【００３１】
【図１】本発明の実施形態に係る落書き除去具を示す全体模式図
【図２】同落書き除去具における除去部（芯材及び布テープ）を示す斜視図
【図３】同除去部における布テープを示す断面模式図
【図４】同除去部における布テープを芯材に巻き始める際の状態を示す断面模式図
【図５】同落書き除去具が適用されるコンクリート躯体の表面処理方法を示すフローチャート
【図６】同コンクリート躯体の表面処理方法における平滑化処理工程が施された状態を示す断面模式図
【図７】同コンクリート躯体の表面処理方法における遮蔽層形成工程が施された状態を示す断面模式図
【図８】同コンクリート躯体の表面処理方法における落書き防止塗料塗布工程が施された状態を示す断面模式図
【符号の説明】
【００３２】
１    落書き除去具
２    除去部
３    把持部
４    布テープ（長尺状テープ）
５    芯材
６    コンクリート躯体
７    樹脂モルタル
８    遮蔽層
９    落書き防止塗料
【図１】
2008138468.tif 000003
【図２】
2008138468.tif 000004
【図３】
2008138468.tif 000005
【図４】
2008138468.tif 000006
【図５】
2008138468.tif 000007
【図６】
2008138468.tif 000008
【図７】
2008138468.tif 000009
【図８】
2008138468.tif 000010